(57)【要約】【課題】カラオケ装置と携帯型音楽再生装置（ＤＡＰ）を連携させることにより、利用者がカラオケ装置において行うキー変更操作に伴う問題を回避でき、利便性を向上できる携帯型音楽再生装置及びカラオケシステムを提供する。【解決手段】携帯型音楽再生装置において、カラオケ装置と各種情報を送受信可能な通信手段と、前記カラオケ装置に再生させる楽曲を設定可能な再生楽曲予約手段と、を備え、前記再生楽曲予約手段は、前記再生させる楽曲に対応する前記楽曲情報と、当該楽曲のキー変更に利用するキー情報とを関連づけて、前記カラオケ装置に送信するようにした。【選択図】図１
2008216771.tif 000002
【特許請求の範囲】
【請求項１】
複数の楽曲のそれぞれについて、楽曲演奏に使用する演奏情報と、楽曲を特定するための楽曲情報と、を関連づけて記憶する記憶手段と、
前記記憶手段に格納されている複数の楽曲の中から選択された楽曲に対応する演奏情報に基づいて、再生音声信号を生成し出力する再生手段と、を有する携帯型音楽再生装置であって、
カラオケ装置と各種情報を送受信可能な通信手段と、
前記カラオケ装置に再生させる楽曲を設定可能な再生楽曲予約手段と、を備え、
前記再生楽曲予約手段は、前記再生させる楽曲に対応する前記楽曲情報と、当該楽曲のキー変更に利用するキー情報とを関連づけて、前記カラオケ装置に送信することを特徴とする携帯型音楽再生装置。
【請求項２】
複数の楽曲の中から選択された楽曲に対応する演奏情報に基づいて当該楽曲を再生可能なカラオケ装置と、前記カラオケ装置と各種情報を送受信可能な携帯型音楽再生装置と、で構成されるカラオケシステムにおいて、
前記携帯型音楽再生装置は、
前記カラオケ装置に再生させる楽曲に対応する楽曲情報と、当該楽曲のキー変更に利用するキー情報と、を関連づけて前記カラオケ装置に送信し、前記カラオケ装置に再生させる楽曲を予約可能とする再生楽曲予約手段を備え、
前記カラオケ装置は、
前記携帯型音楽再生装置から送信された前記楽曲情報に基づいて再生する楽曲を特定可能な再生楽曲特定手段と、
前記キー情報に基づいて再生楽曲に対応する演奏情報に所定の信号処理を施して再生楽曲の音階を変更可能なキー変更手段と、を備えることを特徴とするカラオケシステム。
【請求項３】
前記再生楽曲予約手段は、複数の楽曲の中から１又は２以上の楽曲を抽出して、それぞれの楽曲に対応する楽曲情報と、当該楽曲のキー変更に利用するキー情報と、を関連づけて格納したプレイリストを作成するプレイリスト作成手段を有し、
前記再生楽曲特定手段は、前記再生楽曲予約手段によって送信されたプレイリストに含まれる楽曲情報を解析し、再生する楽曲を特定可能であることを特徴とする請求項２に記載のカラオケシステム。
【請求項４】
前記キー情報は、原曲の音階を基準として設定されることを特徴とする請求項２又は３に記載のカラオケシステム。
【請求項５】
前記再生楽曲特定手段は、前記プレイリストに格納された楽曲の中から再生させる楽曲を選択可能な再生楽曲選択手段を有することを特徴とする請求項３又は４に記載のカラオケシステム。
【発明の詳細な説明】
【技術分野】
【０００１】
本発明は、携帯型音楽再生装置及びカラオケシステムに関する。
【背景技術】
【０００２】
従来、カラオケ利用者は、カラオケ装置に所望の楽曲を再生させる際、カラオケ装置本体に備えられた操作ボタン、または、リモコン装置に備えられた操作ボタンを用いて複数の楽曲の中から所望の楽曲を選択する。ここで、楽曲の選択は、例えば、それぞれの楽曲に対して設定されている曲番号（同一の楽曲であっても楽曲提供者によって曲番号は異なる）を入力することによって行われる。
【０００３】
また、通常のカラオケ装置は、利用者が自分の音域（声域）に合わせて音階（キー）を上下に変更できる機能を備えている。例えば、キー変更ボタン（・・，−２，−１，０，＋１，＋２，・・）により、音階を半音単位で変更できる。また、特許文献１には、カラオケ装置におけるキー変更を、より簡単な操作で実現できるようにした技術が開示されている。
【０００４】
図７は、従来のカラオケ装置１００Ａの概略構成を示すブロック図である。
図７に示すように、カラオケ装置１００Ａは、サーバ通信部１０１と、ストレージ１０２と、操作部１０３と、制御部１０４と、信号処理部１０５と、マイクアンプ１１０と、ミキサ１１１と、スピーカ１１２と、ディスプレイ１１３と、を備えて構成される。
【０００５】
サーバ通信部１０１は、カラオケ演奏に利用される各種情報をカラオケ装置１００Ａに配信するカラオケサーバ３００と通信可能に接続される。ストレージ１０２は、例えば、ハードディスクドライブで構成され、カラオケサーバ３００から配信された演奏情報や映像情報、及び楽曲情報が格納されている。
【０００６】
操作部１０３は、例えば、カラオケ装置本体に備えられた操作ボタン、または、リモコン装置に備えられた操作ボタンであり、操作部１０３からの入力信号が制御部１０４に出力され、制御部１０４はこれに基づいて各ブロックの動作を制御する。
【０００７】
信号処理部１０５は、演奏情報及び映像情報をデコードするデコーダ１０６と、楽曲の音階を変更するキーシフト処理部１０７と、生成されたディジタル音声／映像信号をアナログ信号に変換するＤ／Ａ変換部１０８と、デコード処理の作業領域として利用されるＳＤＲＡＭ１０９と、を有する。
【０００８】
マイクアンプ１１０は、カラオケ装置１００Ａに接続されたマイクから入力されたアナログ音声信号を増幅する。ミキサ１１１は、信号処理部１０５からのアナログ音声信号とマイクアンプ１１０からのアナログ音声信号を合成する。
【０００９】
スピーカ１１２は、ミキサ１１１で合成されたアナログ音声信号を音声に変換して出力する。ディスプレイ１１３は、再生中の楽曲の歌詞や映像、再生中の楽曲／予約された楽曲の曲番号や曲名等を表示する。
【００１０】
制御部１０４は、ＣＰＵ、ＲＡＭ、ＲＯＭ等を備えて構成されており、操作部１０３からの入力信号に基づいて各ブロックの動作を制御する。例えば、操作部１０３において選曲操作が行われた場合は、選曲された楽曲に対応する演奏情報及び映像情報をストレージ１０２から読み出し、或いはカラオケサーバ３００に要求し、取得した演奏情報及び映像情報に基づいて信号処理部１０５において再生処理を実行させる。
【００１１】
また、操作部１０３においてキー変更操作が行われた場合は、信号処理部１０５において演奏情報に再生処理を行う際に、キー変更のための信号処理を実行させる（キーシフト処理部１０８）。
【００１２】
上述したように、従来のカラオケ装置１００Ａでは、楽曲を再生するにあたり、カラオケ装置が備えるキー変更機能を利用して、キー変更ボタンを操作することで楽曲の音階を変更することができる。また、最近では、携帯電話機の赤外線通信を利用して、個人が所有する携帯電話機をカラオケ装置のリモコン代わりに使用できるようにしたカラオケシステムが提供されている。
【特許文献１】特開２００４−１３８６３５号公報
【発明の開示】
【発明が解決しようとする課題】
【００１３】
しかしながら、従来のカラオケ装置では、利用者は歌い始めてから楽曲の音階が自分の音域と合わないことに気づくため、楽曲の歌唱を中断してキー変更がなされることとなる。また、カラオケ装置の操作ボタンを用いたキー変更は、操作がわかりにくい上、一回の操作で所望の音階に調整するのは困難である。
【００１４】
このように、従来のカラオケ装置におけるキー変更操作では、利用者はまともに楽曲を歌唱できなくなるという問題がある。
【００１５】
本発明は、カラオケ装置と携帯型音楽再生装置（ＤＡＰ）を連携させることにより、利用者がカラオケ装置において行うキー変更操作に伴う問題を回避でき、利便性を向上できる携帯型音楽再生装置及びカラオケシステムを提供することを目的とする。
【課題を解決するための手段】
【００１６】
上記目的を達成するため、請求項１に記載の発明は、複数の楽曲のそれぞれについて、楽曲演奏に使用する演奏情報と、楽曲を特定するための楽曲情報と、を関連づけて記憶する記憶手段と、前記記憶手段に格納されている複数の楽曲の中から選択された楽曲に対応する演奏情報に基づいて、再生音声信号を生成し出力する再生手段と、を有する携帯型音楽再生装置であって、カラオケ装置と各種情報を送受信可能な通信手段と、前記カラオケ装置に再生させる楽曲を設定可能な再生楽曲予約手段と、を備え、前記再生楽曲予約手段は、前記再生させる楽曲に対応する前記楽曲情報と、当該楽曲のキー変更に利用するキー情報とを関連づけて、前記カラオケ装置に送信することを特徴とする。
【００１７】
また、請求項２に記載の発明は、複数の楽曲の中から選択された楽曲に対応する演奏情報に基づいて当該楽曲を再生可能なカラオケ装置と、前記カラオケ装置と各種情報を送受信可能な携帯型音楽再生装置と、で構成されるカラオケシステムにおいて、前記携帯型音楽再生装置は、前記カラオケ装置に再生させる楽曲に対応する楽曲情報と、当該楽曲のキー変更に利用するキー情報と、を関連づけて前記カラオケ装置に送信し、前記カラオケ装置に再生させる楽曲を予約可能とする再生楽曲予約手段を備え、前記カラオケ装置は、前記携帯型音楽再生装置から送信された前記楽曲情報に基づいて再生する楽曲を特定可能な再生楽曲特定手段と、前記キー情報に基づいて再生楽曲に対応する演奏情報に所定の信号処理を施して再生楽曲の音階を変更可能なキー変更手段と、を備えることを特徴とする。
【００１８】
請求項３に記載の発明は、請求項２に記載のカラオケシステムにおいて、前記再生楽曲予約手段は、複数の楽曲の中から１又は２以上の楽曲を抽出して、それぞれの楽曲に対応する楽曲情報と、当該楽曲のキー変更に利用するキー情報と、を関連づけて格納したプレイリストを作成するプレイリスト作成手段を有し、前記再生楽曲特定手段は、前記再生楽曲予約手段によって送信されたプレイリストに含まれる楽曲情報を解析し、再生する楽曲を特定可能であることを特徴とする。
【００１９】
請求項４に記載の発明は、請求項２又は３に記載のカラオケシステムにおいて、前記キー情報は、原曲の音階を基準として設定されることを特徴とする。
【００２０】
請求項５に記載の発明は、請求項３又は４に記載のカラオケシステムにおいて、前記再生楽曲特定手段は、前記プレイリストに格納された楽曲の中から再生させる楽曲を選択可能な再生楽曲選択手段を有することを特徴とする。
【発明の効果】
【００２１】
本発明によれば、カラオケ装置と携帯型音楽再生装置とを通信可能とし、カラオケ装置は、携帯型音楽再生装置によって予め設定され送信されたキー情報に基づいて、再生される楽曲の音階を変更するので、カラオケ装置において行うキー変更操作に伴う問題を回避でき、利便性を向上できる。すなわち、利用者は、カラオケ装置において楽曲が再生される前に当該楽曲のキー設定を行うことができるので、キー変更操作に伴い楽曲の歌唱が中断されることはなくなる。
【発明を実施するための最良の形態】
【００２２】
以下、本発明の実施の形態の一例について、図面に基づいて説明する。
図１は、本発明に係るカラオケシステムの一例を示す概念図である。図１に示すように、本実施形態のカラオケシステムは、カラオケ装置１００と、携帯型音楽再生装置としてのディジタルオーディオプレイヤー（以下、ＤＡＰと称する）２００と、カラオケサーバ３００と、を備えて構成される。
【００２３】
ＤＡＰ２００は再生楽曲予約手段２０２を有し、この再生楽曲予約手段２０２は、複数の楽曲の中から１または２以上の楽曲を抽出して、それぞれの楽曲に対応する楽曲情報と、当該楽曲情報のキー変更に利用するキー情報と、を関連づけて格納したプレイリストを作成する（プレイリスト作成手段）。ここで、キー情報とは、楽曲の音階を例えば半音単位で上下させるための情報である。
【００２４】
また、再生楽曲予約手段２０２は、プレイリスト作成手段によって作成されたプレイリストの情報（プレイリスト情報）をカラオケ装置１００に送信し、カラオケ装置１００において当該プレイリストに分類されている楽曲の全部又は一部の再生を予約可能とする。
【００２５】
さらに、前記プレイリストには、楽曲情報のそれぞれに対してキー情報が関連づけられている。すなわち、本実施形態では、プレイリストに登録されているそれぞれの楽曲に対応してキー情報を設定可能で、楽曲情報及びキー情報をプレイリスト情報としてカラオケ装置１００に送信する。
【００２６】
一方、カラオケ装置１００は再生楽曲特定手段１０４を有し、この再生楽曲特定手段１０４は、ＤＡＰ２００から送信されたプレイリスト情報を解析し、再生する楽曲を特定するとともに、当該楽曲の再生予約を行う。そして、予約された楽曲を再生する際、当該楽曲に対してキー情報が付加されていた場合は、このキー情報に基づいて再生楽曲の音階を変更する（キー変更手段）。
【００２７】
なお、カラオケ装置１００では、カラオケサーバ３００から配信された演奏情報に基づいて楽曲の再生が行われる。また、カラオケ装置１００は、カラオケ装置１００の操作部を用いた選曲操作によって楽曲を再生可能であることはいうまでもない。
【００２８】
図２は、本実施形態のカラオケシステムを構成するＤＡＰ２００の一例を示すブロック図である。
ＤＡＰ２００は、カラオケ通信部２０１と、制御部２０２と、操作部２０３と、音声出力部２０４と、再生処理部２０５と、ストレージ２０６と、を備えて構成される。
【００２９】
カラオケ通信部２０１は、無線ＬＡＮやＢｌｕｅｔｏｏｔｈ等の所定の無線通信規格に対応し、カラオケ装置１００との間で各種情報を送受信可能に構成される。例えば、両者間の通信リンクを確立するための通信情報や、カラオケ装置１００において所望の楽曲を容易に再生させるために作成したプレイリスト情報、制御情報等を送受信することができる。
【００３０】
ストレージ２０６は、例えば、ハードディスクドライブやフラッシュメモリ等で構成され、複数の楽曲のそれぞれについて、楽曲演奏に使用する演奏情報（例えば、ＭＰ３形式のディジタル音声データ）と、楽曲を特定するための楽曲情報と、を関連づけたデータベースが格納されている。ここで、楽曲情報には、曲名、アーティスト名、アルバム名、ジャンル名、年代、作曲家名、作詞家名、テンポ等の各種情報が含まれる。
【００３１】
操作部２０３は、例えば、ＤＡＰ本体に備えられた操作ボタンであり、操作部２０３からの入力信号が制御部２０２に出力され、制御部２０２はこれに基づいて各ブロックの動作を制御する。
【００３２】
再生処理部２０５は、ストレージ２０６に格納されている演奏情報にデコード処理、Ｄ／Ａ変換処理等の所定の信号処理を施してアナログの再生音声信号を生成する。音声出力部２０４は、再生処理部２０５によって生成された再生音声信号を増幅して出力し、例えば、出力端子に接続されたヘッドホンから音声を出力させる。
【００３３】
制御部２０２は、ＣＰＵ、ＲＡＭ、ＲＯＭなどを備えて構成されており、操作部２０３からの入力信号等に基づいて各ブロックの動作を制御する。例えば、操作部２０３において楽曲の再生操作が行われた場合は、ストレージ２０６から再生させる楽曲に対応する演奏情報を読み出し、再生処理部２０５において再生処理を実行させる。
【００３４】
また、制御部２０２は、ストレージ２０６に格納されている複数の楽曲の中から１又は２以上の楽曲を抽出してプレイリストを作成する（プレイリスト作成手段）。プレイリストには、例えば、抽出されたそれぞれの楽曲に対応する楽曲情報と、当該楽曲のキー変更に利用するキー情報が含まれる。
【００３５】
また、制御部２０２は、作成したプレイリスト情報をカラオケ装置１００に送信し、カラオケ装置１００において当該プレイリストに登録されている楽曲が容易に予約できるように支援する（再生楽曲予約手段）。
【００３６】
ここで、プレイリストに含まれるキー情報は、例えば、利用者が操作部２０３を操作することにより設定される。このとき、キー情報は、原曲の音階を基準として半音単位で設定されるのが望ましい。
【００３７】
つまり、カラオケ装置１００のデータベースに格納されている演奏情報は、一般的な人が歌い易いように原曲（例えば、市販のオーディオＣＤに収録されている曲）に対して予めキー変更処理がなされているが、このキー変更の程度（キーシフト量）はカラオケ事業者間で統一されているとは限らないので、原曲の音階を基準としてキー変更に利用するキー情報を設定するようにしている。カラオケ事業者が異なる場合であっても、カラオケ装置１００において、提供しうる楽曲の音階は原曲に対してどの程度変更されているかを把握できていれば、ＤＡＰ２００を利用したキー変更処理を実現することができる。
【００３８】
図３は、本実施形態のカラオケシステムを構成するカラオケ装置１００の一例を示すブロック図である。
図３に示すように、カラオケ装置１００は、サーバ通信部１０１と、ストレージ１０２と、操作部１０３と、制御部１０４と、信号処理部１０５と、マイクアンプ１１０と、ミキサ１１１と、スピーカ１１２と、ディスプレイ１１３と、ＤＡＰ通信部１１４と、を備えて構成される。従来のカラオケ装置１００Ａ（図７参照）と比較して、ＤＡＰ２００との通信部１１４が設けられている点が異なる。
【００３９】
サーバ通信部１０１は、カラオケ演奏に利用される各種情報をカラオケ装置１００に配信するカラオケサーバ３００と、電話回線や専用回線を利用して通信可能に接続される。例えば、カラオケサーバ３００から配信される情報を定期的にダウンロードしたり、選曲された楽曲に対応する情報が後述するストレージ１０２に格納されていない場合に当該楽曲に対応する情報を要求したりする。
【００４０】
カラオケサーバ３００は、例えば、複数の楽曲のそれぞれについて、楽曲演奏に利用する演奏情報（例えば、ＭＩＤＩデータ）や映像情報（例えば、ＭＰＥＧ２データ）、及び楽曲を特定するための楽曲情報を対応させたデータベースを有する。ここで、楽曲情報には、選曲に使用する曲番号、曲名、アーティスト名、アルバム名、ジャンル名、年代、作曲家名、作詞家名、テンポ等の情報が含まれる。
【００４１】
ストレージ１０２は、例えば、ハードディスクドライブで構成され、複数の楽曲のそれぞれについて、カラオケサーバ３００から配信された演奏情報や映像情報、及び楽曲情報が関連づけられて格納されている。カラオケサーバ３００から最新の情報を配信することで、このストレージ１０２に記憶される情報は更新される。
【００４２】
操作部１０３は、例えば、カラオケ装置本体に備えられた操作ボタン、または、リモコン装置に備えられた操作ボタンであり、操作部１０３からの入力信号が制御部１０４に出力され、制御部１０４はこれに基づいて各ブロックの動作を制御する。
【００４３】
信号処理部１０５は、デコーダ１０６と、キーシフト処理部１０７と、Ｄ／Ａ変換部１０８と、ＳＤＲＡＭ１０９と、を有する。デコーダ１０６は、ストレージ１０２から読み出された演奏情報及び映像情報、又はカラオケサーバ３００から配信された演奏情報及び映像情報をデコードする。
【００４４】
キーシフト処理部１０７は、演奏情報に基づいて生成されたディジタル音声信号に所定の信号処理を施して、楽曲の音階を変更する。例えば、操作部１０３からキー変更が指示されたときや、ＤＡＰ２００から送信されたプレイリスト情報にキー情報が含まれていたときに、このキー情報に基づいてキー変更処理を行う。
【００４５】
Ｄ／Ａ変換部１０８は、生成されたディジタル音声信号及びディジタル映像信号をアナログ信号に変換する。ＳＤＲＡＭ１０９は、デコード処理の作業領域として使用される。
【００４６】
マイクアンプ１１０は、カラオケ装置１００に接続されたマイクから入力されたアナログ音声信号を増幅する。ミキサ１１１は、信号処理部１０５からのアナログ音声信号とマイクアンプ１１０からのアナログ音声信号を合成する。
【００４７】
スピーカ１１２は、ミキサ１１１で合成されたアナログ音声信号を音声に変換して出力する。ディスプレイ１１３は、再生中の楽曲の歌詞や映像、再生中の楽曲又は予約された楽曲の曲番号や曲名等を表示する。
【００４８】
ＤＡＰ通信部１１４は、無線ＬＡＮやＢｌｕｅｔｏｏｔｈ等の所定の無線通信規格に対応し、ＤＡＰ２００との間で各種情報を送受信可能に構成される。例えば、両者間の通信リンクを確立するための通信情報や、カラオケ装置１００において所望の楽曲を容易に再生させるためにＤＡＰ２００で作成されたプレイリスト情報、制御情報等を送受信することができる。
【００４９】
制御部１０４は、ＣＰＵ、ＲＡＭ、ＲＯＭ等を備えて構成されており、操作部１０３からの入力信号に基づいて各ブロックの動作を制御する。例えば、操作部１０３において選曲操作が行われた場合は、選曲された楽曲に対応する演奏情報及び映像情報をストレージ１０２から読み出し、或いはカラオケサーバ３００に要求し、取得した演奏情報及び映像情報に基づいて信号処理部１０５において再生処理を実行させる。
【００５０】
また、操作部１０３においてキー変更操作が行われた場合は、信号処理部１０５において演奏情報に再生処理を行う際に、キー変更のための信号処理を実行させる（キーシフト処理部１０８）。
【００５１】
さらに、制御部１０４は、ＤＡＰ２００から送信されたプレイリスト情報に含まれる楽曲情報を解析し、これに基づいて再生する楽曲を特定する再生楽曲特定手段として機能する。
【００５２】
上述したカラオケ装置１００は、ＤＡＰ２００と通信可能に構成されており、ＤＡＰ２００から送信されたプレイリスト情報にキー情報が含まれると、プレイリスト情報に基づいて再生楽曲を予約するとともに、この再生楽曲に対応して設定されたキー情報に基づいて楽曲の音階を変更する。
【００５３】
次に、本実施形態のカラオケシステムにおいて行われる楽曲のキー変更について説明する。具体的には、ＤＡＰ２００ではキー設定処理を含むプレイリスト作成処理（図４）が実行され、カラオケ装置１００では再生楽曲予約処理（図５）及び曲再生制御処理（図６）が実行され、この曲再生制御処理の中でキー変更処理が行われる。
【００５４】
図４は、ＤＡＰ２００において実行されるプレイリスト作成処理の一例を示すフローチャートである。このプレイリスト作成処理は、制御部２０２によって所定のプログラムが実行されることにより行われる。例えば、操作部２０３の所定のボタン（例えば、プレイリスト作成ボタン）が操作されることに伴い、プレイリスト作成処理が実行されるものとする。
【００５５】
まず、ステップＳ１０１で、新規に作成されるプレイリスト名を登録する。例えば、利用者は操作部２０３を用いて任意の文字列を入力することでプレイリスト名を登録できる。
【００５６】
ステップＳ１０２では、作成されたプレイリストに楽曲を登録するための選択操作が行われたか判定する。例えば、ストレージ２０６に格納されている楽曲のリストを表示させ、この表示画面において、プレイリストに登録する楽曲を選択させることができる。
【００５７】
そして、ステップＳ１０２で楽曲が選択されないと判定した場合は、そのまま処理を終了する。例えば、楽曲の選択が行われないまま他の操作ボタンが操作された場合に楽曲が選択されないものとして判断し、プレイリスト作成処理を終了する。
【００５８】
また、ステップＳ１０２で楽曲が選択されたと判定した場合は、選択された楽曲を当該プレイリストに登録する（ステップＳ１０３）。このとき、プレイリストには、例えば、楽曲情報として、当該楽曲の曲番号、曲名、アーティスト名、等が関連づけて登録される。なお、カラオケ事業者ごとに提供されるカラオケ装置１００に対応できるように、複数のカラオケ事業者情報に対応して曲番号が登録されるのが望ましい。
【００５９】
ステップＳ１０４では、登録された楽曲について、キー変更に利用するキー情報が設定されたか判定する。そして、ステップＳ１０４でキー設定がないと判定した場合は、当該楽曲のプレイリストへの登録は終了し、次の楽曲の選択に移行する。すなわち、プレイリストには、当該楽曲の楽曲情報が登録され、キー情報は登録されないこととなる。
【００６０】
一方、ステップＳ１０４でキー設定があると判定した場合は、当該楽曲に対応させてキー情報を登録する（ステップＳ１０５）。すなわち、利用者は、当該楽曲をカラオケ装置１００において再生させる際に音階を変更する場合は、ＤＡＰ２００において予めキー設定を行うことができる。例えば、原曲の音階を基準として、半音単位で設定する。ステップＳ１０５で当該楽曲に対応させてキー情報を登録した後、次の楽曲の選択に移行する。
【００６１】
ＤＡＰ２００では、上述したプレイリスト作成処理により、ストレージ２０６に格納されている複数の楽曲の中から１又は２以上の楽曲を抽出して、それぞれの楽曲に対応する楽曲情報と、当該楽曲のキー変更に利用するキー情報と、を関連付けて格納したプレイリストが作成される。
【００６２】
利用者は、ストレージ２０６に格納されている膨大な数の楽曲をプレイリストによりグループ分けすることにより、ＤＡＰ２００において所望の楽曲を容易に再生させることができる。
【００６３】
また、本実施形態のカラオケシステムでは、ＤＡＰ２００で作成されたプレイリスト情報をカラオケ装置１００に送信することで、当該プレイリストに登録されている楽曲の中からカラオケ装置１００で再生させる楽曲を選択可能となるので、カラオケ装置１００における選曲操作が簡単になる。
【００６４】
図５は、カラオケ装置１００において実行される再生楽曲予約処理の一例を示すフローチャートである。この再生楽曲予約処理は、制御部１０４によって所定のプログラムが実行されることにより行われる。なお、図５は、ＤＡＰ２００から送信されたプレイリスト情報に基づく再生楽曲予約処理を示すものであり、カラオケ装置１００においては操作部１０３から直接曲番号を入力することにより再生楽曲を予約できることはいうまでもない。
【００６５】
まず、ステップＳ２０１で、ＤＡＰ２００から送信されたプレイリスト情報を受信したか判定する。そして、ステップＳ２０１でプレイリスト情報を受信していないと判定した場合は、そのまま処理を終了する。例えば、カラオケ装置１００とＤＡＰ２００との通信リンクが確立されている状態で、ＤＡＰ２００側でプレイリスト送信操作が行われると、カラオケ装置１００側でプレイリスト情報が受信される。
【００６６】
なお、ＤＡＰのカラオケ通信部２０１とカラオケ装置のＤＡＰ通信部１１４との間で通信リンクを確立するための通信情報の送受信を行うことで両者間の通信リンクは確立される。
【００６７】
ステップＳ２０１でプレイリスト情報を受信したと判定した場合は、プレイリスト情報を解析する（ステップＳ２０２）。具体的には、プレイリスト情報に含まれる楽曲情報とストレージ１０２に格納されている楽曲情報を比較することにより、プレイリストに登録されている楽曲を特定する（再生楽曲特定手段）。なお、ＤＡＰ２００で作成されたプレイリストに登録されている楽曲であっても、ストレージ１０２或いはカラオケサーバ３００に当該楽曲に対応する情報がなければ、カラオケ装置１００で再生することはできない。
【００６８】
次いで、ステップＳ２０３では、ステップＳ２０２で特定された楽曲のリスト（プレイリスト）を、例えば、ディスプレイ１１３に表示する。このとき、プレイリストに登録されているが、カラオケ装置１００で再生不可（例えば、ストレージ１０２に格納されていない楽曲）である楽曲については、淡色表示したり、登録楽曲として表示させないようにしたりして、再生できないことを利用者が認識できるようにするのが望ましい。
【００６９】
ステップＳ２０４では、このプレイリストが表示されている状態で、再生楽曲が選択されたか判定する。例えば、プレイリストの中の特定の楽曲にカーソルを合わせた状態で、予約ボタンが操作されることで、当該楽曲を再生楽曲として設定する。つまり、プレイリストに格納されている楽曲をすべて再生楽曲として予約するのではなく、再生させる楽曲を選択可能にしている（再生楽曲選択手段）。
【００７０】
ステップＳ２０４で再生楽曲が選択されていないと判定された場合は、そのまま処理を終了する。例えば、プレイリストが表示された状態で再生楽曲の選択が行われないまま、プレイリスト非表示ボタン等が操作された場合に再生楽曲は選択されないものとして判断すればよい。
【００７１】
また、ステップＳ２０４で再生楽曲が選択されたと判定した場合は、選択された楽曲を予約リストに登録する（ステップＳ２０５）。そして、ステップＳ２０４，Ｓ２０５の処理を繰り返すことで、表示されているプレイリストの中から複数の楽曲を再生楽曲として選択させることができる。
【００７２】
カラオケ装置１００では、上述した再生楽曲予約処理により、ＤＡＰ２００から送信されたプレイリストを利用して再生楽曲の予約リストを容易に作成でき、後述する曲再生処理では、この予約リストに基づいて楽曲が再生されることとなる。
【００７３】
図６は、カラオケ装置１００において実行される曲再生制御処理の一例を示すフローチャートである。この曲再生制御処理は、制御部１０４によって所定のプログラムが実行されることにより行われる。なお、再生楽曲に対応する映像情報の再生制御処理については省略する。
【００７４】
まず、ステップＳ３０１で、予約リストに登録されている楽曲があるか判定し、予約リストに再生楽曲が登録されている場合はステップＳ３０２に移行する。一方、予約リストに再生楽曲が登録されていない場合は、選曲があるまで（予約リストに楽曲が登録されるまで）待機することとなる。
【００７５】
ステップＳ３０２では、予約リストに登録されている楽曲の曲番号に基づいてストレージ１０２に格納されているデータベースを検索する（曲検索処理）。そして、予約された楽曲の曲番号に対応する演奏情報を読み出し、曲再生処理の準備をする。
【００７６】
ステップＳ３０３では、再生楽曲に対応するキー情報がプレイリストに設定されている場合に、このキー情報に基づいてキー変更処理を行う。例えば、キー情報が原曲の音階を基準として半音単位で設定されている場合、制御部１４はストレージ１０２に格納されている演奏情報の音階と原曲の音階を比較し、キー情報に基づくキーシフト量を決定することとなる。なお、プレイリストに当該再生楽曲に対応するキー情報が設定されていないときは、このキー変更処理は実行されない。
【００７７】
ステップＳ３０４では、ステップＳ３０２において読み出された演奏情報に基づいて、信号処理部２０５に曲再生処理を行わせる。具体的には、演奏情報にデコード処理やＤ／Ａ変換処理を施してアナログの再生音声信号を生成させる。このとき、ステップＳ３０３においてキー変更が指示されている場合は、元の演奏情報（ストレージ１０２から読み出された演奏情報）にキーシフト量を反映する信号処理を施して、再生音声信号を生成することとなる。
【００７８】
ステップＳ３０５では、楽曲の再生が終了したか判定する。そして、ステップＳ３０５で楽曲が終了したと判定した場合は、ステップＳ３０１に移行して次の予約楽曲の再生処理を行う。
【００７９】
また、ステップＳ３０５で楽曲が終了していない（再生中）と判定した場合は、ステップＳ３０３〜Ｓ３０５の処理を繰り返す。このとき、操作部１０３からキー変更の指示信号が入力された場合には、ステップＳ３０３においてこの入力信号に基づくキーシフト量が決定されることとなる。
【００８０】
上述したように、本実施形態のカラオケシステムでは、ＤＡＰ２００から送信されたプレイリスト情報に基づいてカラオケ装置１００で楽曲を予約し、再生させることができる。このとき、利用者は再生楽曲の音階を変更するためのキー情報を予めＤＡＰ２００側で設定することができる。
【００８１】
そして、カラオケ装置１００は、ＤＡＰ２００によって予め設定され送信されたキー情報に基づいて、再生される楽曲の音階を変更するので、カラオケ装置１００において行うキー変更操作に伴う問題を回避でき、利便性を向上できる。
さらに、カラオケ装置１００では、楽曲の再生当初から利用者のキー変更が反映されることとなるので、キー変更操作に伴い楽曲の歌唱が中断されることはなくなる。
【００８２】
以上、本発明者によってなされた発明を実施形態に基づいて具体的に説明したが、本発明は上記実施形態に限定されるものではなく、その要旨を逸脱しない範囲で変更可能である。
【００８３】
例えば、上記実施形態では、プレイリスト作成処理において、それぞれの楽曲に対応してキー情報を設定する場合について説明したが、プレイリストを作成した後にキー情報を設定できるようにしてもよい。また、一度設定したキー情報を変更できるようにすれば、カラオケ装置においてキー変更された結果が所望のものとずれていた場合でも、次回からは所望のキー変更を反映させることができる。
【００８４】
また、上記実施形態では、複数の楽曲に対応する楽曲情報とキー情報をプレイリストの形式で一括してカラオケ装置に送信する場合について説明したが、再生させる楽曲に対応する楽曲情報とキー情報とを関連付けて、一曲分ずつ送信するようにしてもよい。
【００８５】
さらに、本明細書では、カラオケ装置において再生される楽曲の音階を利用者が携帯型音楽再生装置を用いて予め設定できることについて説明したが、楽曲のテンポ等、楽曲の特性一般について適用できる可能性がある。
【００８６】
また、上記実施形態では、携帯型音楽再生装置としてディジタルオーディオプレーヤ（ＤＡＰ）を例示して説明したが、通信機能を有するものであれば如何なる音楽再生装置であっても構わない。例えば、ＤＡＰ以外のものとして、音楽再生機能を有する携帯電話や携帯ゲーム機器などが挙げられる。
【図面の簡単な説明】
【００８７】
【図１】本発明に係るカラオケシステムの概念図である。
【図２】本実施形態のカラオケシステムを構成するＤＡＰ２００の概略構成を示すブロック図である。
【図３】本実施形態のカラオケシステムを構成するカラオケ装置１００の概略構成を示すブロック図である。
【図４】ＤＡＰ２００において実行されるプレイリスト作成処理の一例を示すフローチャートである。
【図５】カラオケ装置１００における再生楽曲予約処理の一例を示すフローチャートである。
【図６】カラオケ装置１００における曲再生制御処理の一例を示すフローチャートである。
【図７】従来のカラオケ装置１００Ａの概略構成を示すブロック図である。
【符号の説明】
【００８８】
１００  カラオケ装置
１０３  再生楽曲特定手段（制御部）
２００  ディジタルオーディオプレイヤー（携帯型音楽再生装置）
２０２  再生楽曲予約手段（制御部）
３００  カラオケサーバ
【図１】
2008216771.tif 000003
【図２】
2008216771.tif 000004
【図３】
2008216771.tif 000005
【図４】
2008216771.tif 000006
【図５】
2008216771.tif 000007
【図６】
2008216771.tif 000008
【図７】
2008216771.tif 000009